(57)【特許請求の範囲】
【請求項１】
測定対象の動物の首またはその近傍に装着される主装着部と、
生体情報を測定する電極を有し、前記動物の左右の腋窩の少なくとも一方に前記電極が当接するように装着される電極ベルトとを備え、
前記電極ベルトの一端は、前記主装着部に接続されており、
前記電極ベルトの他端は、前記一端よりも前記動物の背中側において前記主装着部に対して連結可能である測定具。
【請求項２】
前記他端は、前記動物の背中において前記主装着部に連結される請求項１に記載の測定具。
【請求項３】
前記電極ベルトは、弾性体を含んでいる請求項１または２に記載の測定具。
【請求項４】
前記電極ベルトは、前記主装着部に対して着脱可能に連結するための連結部を備えている請求項１から３のいずれか１項に記載の測定具。
【請求項５】
前記電極ベルトは、長さ調節部を備えている請求項１から４のいずれか１項に記載の測定具。
【請求項６】
前記主装着部と接続され、装着時に前記動物の胸部に配される胸当て部と、
前記胸当て部と接続され、装着時に前記動物の腋窩を通る位置に配される腋帯とをさらに備えている請求項１から５のいずれか１項に記載の測定具。
【請求項７】
請求項１から６のいずれか１項に記載の測定具と、
前記電極から出力された生体情報を解析する解析システムとを含む生体情報測定システム。
【請求項８】
前記解析システムは、前記生体情報を解析することにより、前記測定具が適切に装着されているかどうかを判定する判定部を備える請求項７に記載の生体情報測定システム。
【発明の詳細な説明】
【技術分野】
【０００１】
本開示は、生体、特に体毛を有する動物に装着する測定具、および当該測定具を含む生体情報測定システムに関する。
【背景技術】
【０００２】
生活習慣病の予防および対策として、日常的な健康管理が重要であることが広く認識されている。近年、人間（飼い主）と同様、愛玩動物（ペット）においても日常的な健康管理が重要であるとの認識が高まり、飼い主がペットの生体情報の測定を手軽に行うことへのニーズが高まっている。【０００３】
ペットの生体情報を測定する技術の一例としては、以下の特許文献１に開示されたものが挙げられる。特許文献１に記載の測定具は、電極体の各電極を脇の下等に押し付けた状態に保持する固定具を有している。
【先行技術文献】
【特許文献】
【０００４】
【特許文献１】日本国公開特許公報「特開２００５−２７６６１号公報（２００５年２月３日公開）」
【発明の概要】
【発明が解決しようとする課題】
【０００５】
しかしながら、動物に測定具を装着するときに、動物が大人しくしているとは限らず、特許文献１に記載された測定具では、装着し易さという観点から改善の余地がある。【０００６】
本開示の一態様は、装着し易い測定具等を実現することを目的とする。
【課題を解決するための手段】
【０００７】
本開示の一態様に係る測定具は、測定対象の動物の首またはその近傍に装着される主装着部と、生体情報を測定する電極を有し、前記動物の左右の腋窩の少なくとも一方に前記電極が当接するように装着される電極ベルトとを備え、前記電極ベルトの一端は、前記主装着部に接続されており、前記電極ベルトの他端は、前記一端よりも前記動物の背中側において前記主装着部に対して連結可能である。
【発明の効果】
【０００８】
本開示の一態様によれば、装着し易い測定具を実現することができる。
【図面の簡単な説明】
【０００９】
【図１】実施形態１に係る測定具の外観の一例を示す図である。
【図２】実施形態１に係る測定具を犬に装着する様子を示す図であり、（ａ）は装着途中、（ｂ）は装着完了後の状態を示している。
【図３】（ａ）は、実施形態２に係る電極ベルトの構成を示す図であり、（ｂ）は、長さ調節部の構成の一例を示す図であり、（ｃ）は、長さ調節部の構成の、別の例を示す図であり、（ｄ）は、長さ調節部の構成の、さらに別の例を示す図であり、（ｅ）は、長さ調節部として延長ベルトを用いる例を示す図である。
【図４】実施形態３に係る測定具の外観の一例を示す図である。
【図５】図４に示した測定具の展開図である。
【図６】実施形態３に係る測定具を犬に装着した状態を示す図であって、（ａ）は犬の側方、（ｂ）は犬の上方から見た図である。
【図７】実施形態４に係る心電測定システムの構成を示す機能ブロック図である。
【図８】実施形態４に係る心電測定システムが備える心電測定装置のハードウェアの構成の一例を示す図である。
【図９】実施形態４に係る心電測定システムが備える心電測定装置における装着判定処理の流れの一例を示すフローチャートである。
【図１０】心電波形の一例を示す図であり、（ａ）は電極が適切に装着されている時の波形を示し、（ｂ）は電極が適切に装着されていない時の波形を示す。
【発明を実施するための形態】
【００１０】
以下では、測定対象の動物が犬である例について説明する。測定対象の動物は、特に犬に限らず、例えば、（ｉ）猫、ウサギ、フェレット、猿、ハムスター等の愛玩動物、（ｉｉ）馬、牛、豚、ヒツジ、ヤギ等の家畜、または（ｉｉｉ）トラ、ライオン等、動物園で飼育されている動物としてもよい。
【００１１】
〔実施形態１〕
以下、実施の形態について、図１〜図２を参照して詳細に説明する。
【００１２】
図１は、本実施形態に係る測定具１０の外観の一例を示す図である。測定具１０は、例えば犬の心電を測定するための測定具である。ただし、測定具１０の測定対象となる生体情報は、心電に限定されず、例えば体温、脈波、発汗量、心拍数または体脂肪率であってもよい。図１に示すように、測定具１０は、主装着部１および電極ベルト５を備える。
【００１３】
主装着部１は、犬の首またはその近傍に装着される部材であり、首輪部２および収納部３を備える。首輪部２は、犬が装着する首輪として機能する環状の部材である。この首輪部２は、犬に装着した状態にて環状になっていればよく、複数の帯が犬の首の周囲で交差すること、または複数の帯を連結させることにより、見かけ上環状の首輪部２が形成されてもよい。首輪部２の材料は特に制限されず、例えば天然皮革、合成皮革、樹脂、天然繊維、または化学繊維など、任意の材料であってよい。
【００１４】
首輪部２を犬に装着した場合における犬の背中側に、収納部３が設けられている。収納部３は、犬の心電を測定するための心電測定装置４（解析システム）を内部に収納している。心電測定装置４については後述する。
【００１５】
電極ベルト５は、生体情報としての心電を測定する電極６を有し、犬の左右の腋窩の両方に電極６が当接するように装着される。ただし、電極ベルト５は、必ずしも犬の左右の腋窩の両方に装着される必要はなく、左右の腋窩の少なくとも一方に装着されればよい。電極ベルト５は、電極６、ベルト８、および連結部９ａを備える。
【００１６】
電極６は、測定具１０が装着された状態において犬の腋窩に配される。腋窩は、犬の身体で比較的被毛が薄い領域である。このため、電極６を腋窩に当接させることで、剃毛、または導電性ジェルの塗布といった処理を行うことなく心電を測定することができる。また、腋窩は、床または壁等への接触の虞が小さいため、当該接触により電極６の位置が変化し、正常な測定が妨げられる虞が小さい。図１においては、電極６は、１つの測定具１０に２つ設けられている。しかし、電極６は、測定具１０による測定の内容等に応じて任意の数設けられてよい。
【００１７】
ベルト８は、電極６を支持し、電極６を犬の腋窩に所定以上の力で当接させるためのベルトである。ベルト８の一端は、主装着部１の首輪部２に接続されている。ベルト８の一部または全部は、例えばゴム等の、弾性を有する材料で形成される。例えば、ベルト８は、ゴムベルトと伸縮性の小さいまたは伸縮性のないベルトとを連結させたベルトであってもよい。この構成において、連結部９ａは、前記伸縮性の小さいまたは伸縮性のないベルトに設けられてもよい。
【００１８】
ベルト８が弾性体を含んでいるため、測定具１０を装着している犬の姿勢が変わっても、ベルト８の弾性により、電極６が犬の腋窩に当接した状態が維持される。なお、ベルト８を、弾性をさほど有さない紐状の部材によって形成してもよい。
【００１９】
連結部９ａは、電極ベルト５の端部を主装着部１に対して着脱可能に連結するための部材であり、連結部９ｂと着脱可能に連結する。連結部９ａは、ベルト８の、首輪部２に接続されている一端とは逆側の他端に設けられている。連結部９ｂは、例えば図１に示すように、収納部３に設けられていてよい。または、連結部９ｂは、首輪部２に設けられていてもよい。
【００２０】
本実施形態では連結部９ｂは、首輪部２の、犬の背中に対応する位置に設けられている。このため、電極ベルト５の他端は、犬の背中において主装着部１に連結される。犬の体格によっては、連結部９ｂを収納部３（すなわち、犬の背中側）に設ける方が、首輪部２（例えば、犬の腋窩の直上）に設けるよりも、電極６を腋窩に適切に当接させやすくなる場合がある。なお、電極ベルト５の他端は、少なくとも前記一端よりも犬の背中側において主装着部１に対して連結可能であればよい。
【００２１】
図２は、測定具１０を犬に装着する様子を示す図である。測定具１０を犬に装着する場合、まず、図２の（ａ）に示すように、連結部９ａおよび９ｂを互いに連結させない状態で、首輪部２を犬の首に装着する。その後、電極ベルト５を、犬の腋の下を通した状態で引き上げ、連結部９ａを連結部９ｂに連結させることで、図２の（ｂ）に示すように、測定具１０の犬への装着が完了する。
【００２２】
多くの犬の体表面には毛があり、心電測定するためには、剃毛を行うか、体毛が比較的薄い場所を測定箇所として選択する必要がある。体毛が多い箇所の場合、体毛がノイズ源や絶縁体となり心電を正確に計測することは困難となる。導電性ジェルなどを用いて電極と体表との接触を良くする方法もあるが、乾いてしまうと導電性が失われ、かつ体毛を汚してしまう。
【００２３】
剃毛を行うことなくかつ長時間計測を行うためには、体毛が比較的薄い場所に電極を敷設可能で、長時間装着させてもズレが少なく、動いてズレたとしても元に戻る電極の敷設方法が好ましい。また、当該敷設方法を誰が行っても再現することができる装具が必要である。
【００２４】
上述した通り、首輪部２は首輪であるため、犬の肩より低い位置に下がることはないように形成されている。このため、測定具１０を犬に装着すると、電極ベルト５の張力によって、電極６が所望の圧力で犬の腋窩に当接する。腋窩は体毛が比較的薄い場所であり、心電などの生体情報の測定箇所として好ましい。
【００２５】
また、図２に示したように、測定具１０を装着するときには、電極ベルト５の自由端（他端）を犬の腋窩を通しつつ、犬の前方から後方へ移動させ、犬の背中側で電極ベルト５の他端を主装着部１に連結させる。電極ベルト５を犬の前方側で主装着部１に連結させる構成の場合、装着に手間取ると、犬の性格によっては測定具１０を装着するユーザの手等に噛みつく虞がある。測定具１０では、電極ベルト５を犬の後方において主装着部１に連結させるため、上記の虞を低減することができる。
【００２６】
また、連結部９ａを犬の腋窩を通過させてから連結部９ｂと連結させるため、予め電極ベルト５の両端が首輪部２に固定されている構成よりも、容易に測定具１０を犬に装着することができる。
【００２７】
測定具１０を装着することで、犬は腋窩を拘束されるだけである。このため、犬が拘束される箇所を必要最小限にすることができる。また、測定具１０を装着するユーザは、犬の首を首輪部２に通し、連結部９ａと連結部９ｂとを連結するだけで電極６の位置を容易に決定できる。したがって、例えば犬の飼い主等、心電の測定に詳しくないユーザであっても、適切な位置に電極６を当接させ、再現性の高い測定を行うことができる。
【００２８】
〔実施形態２〕
他の実施形態について、図３に基づいて説明すれば、以下の通りである。なお、説明の便宜上、前記実施形態にて説明した部材と同じ機能を有する部材については、同じ符号を付記し、その説明を省略する。
【００２９】
図３の（ａ）は、本実施形態に係る電極ベルト５の構成を示す図である。図３の（ａ）に示すように、本実施形態の電極ベルト５は、図１に示したそれぞれの部材に加えて、長さ調節部１１を備えている。長さ調節部１１は、（ｉ）ベルト８の長さを調節する機能、および（ｉｉ）調節した長さを保持する機能（長さ保持機能）を有する。電極ベルト５が長さ調節部１１を備えることで、測定具１０のユーザは、電極６を犬の腋窩に適切な圧力で当接させることができる。
【００３０】
図３の（ｂ）は、長さ調節部１１の構成の一例を示す図である。図３の（ｂ）に示す例では、長さ調節部１１は、電極ベルト５において連結部９ａとは別の部材として構成される。この場合、長さ調節部１１の例としては、アジャスターまたはピンバックル等が挙げられる。また、連結部９ａおよび９ｂの例としては、バックル、豆差し、ホック、スナップ、またはボタン等が挙げられる。
【００３１】
図３の（ｃ）は、長さ調節部１１の構成の、別の一例を示す図である。図３の（ｃ）に示す例では、長さ調節部１１は、ベルト８において連結部９ａと一体に構成される。この場合、長さ調節部１１および連結部９ａは、例えばアジャスタブルバックルであってよい。
【００３２】
図３の（ｄ）は、長さ調節部１１の構成の、さらに別の例を示す図である。図３の（ｄ）に示す例では、連結部９ａ・９ｂおよび長さ調節部１１がピンバックルを構成している。具体的には、連結部９ａおよび長さ調節部１１として、ベルト８に複数の孔部１１ａが設けられ、連結部９ｂとしてのピンを当該複数の孔部１１ａのいずれかに挿入することで、連結部９ａおよび９ｂが互いに連結されるとともに、電極ベルト５の長さが調節される。
【００３３】
なお、図３の（ｂ）〜（ｄ）に示したいずれの例においても、長さ調節部１１はベルト８に設けられている。しかし、長さ調節部１１は、連結部９ｂが設けられているベルト１２に設けられていてもよい。または、長さ調節部１１は、ベルト８およびベルト１２の両方に設けられていてもよい。
【００３４】
また、ベルト８の全体がゴムで形成されている場合、長さ調節部１１による長さ調節を行いにくい可能性がある。また、図３の（ｄ）に示した例では、連結部９ｂとしてのピンが挿入された孔部１１ａが張力により拡がり、意図した長さとは異なる長さになる可能性がある。このため、ベルト８をゴムベルトと伸縮性の小さいまたは伸縮性のないベルトとを連結させたベルトとし、長さ調節部１１を前記伸縮性の小さいまたは伸縮性のないベルトに設けてもよい。
【００３５】
図３の（ｅ）は、長さ調節部１１として延長ベルト１３を用いる例を示す図である。延長ベルト１３は、両端にそれぞれ、連結部９ａと連結可能な連結部１３ａ、および連結部９ｂと連結可能な連結部１３ｂを備えている。ベルト８とベルト１２とを延長ベルト１３を介して連結させることにより、電極ベルト５を延長させることができる。互いに長さが異なる複数種類の延長ベルト１３（図３の（ｅ）では３種類）を用意し、測定具１０を装着する犬の体格に合わせて最適な長さの延長ベルト１３を選択することで、電極ベルト５の長さを調節でき、電極６を犬の腋窩に適切な圧力で当接させることができる。
【００３６】
長さ調節部１１が長さ保持機能を有しない場合、測定具１０を装着するたびに電極ベルト５の長さを調節する必要が生じるため、同じ犬に繰り返し測定具１０を装着する場合の作業が煩雑になる。特に、電極ベルト５には電極６を犬の腋窩に当接させるための張力が作用しているため、測定具１０を犬に装着させている状態で電極ベルト５の長さを調節するには労力を要する。
【００３７】
また、測定具１０が連結部９ａおよび９ｂを備えていない場合、つまり電極ベルト５の両端が固定されている状態では、首輪部２を犬の首に装着させ、さらに首輪部２および電極ベルト５により形成される環状部に犬の前肢を通させる必要がある。このため、測定具１０の装着に手間がかかる。
【００３８】
また、測定具１０が適切に装着されている状態における電極ベルト５の長さでは、上記環状部に犬の前肢を通させることは困難である。このため、測定具１０を装着する時には一時的に電極ベルト５の長さを伸ばすか、電極ベルト５の端部を主装着部１から分離する必要がある。電極ベルト５の長さを伸ばす構成では、心電の測定に適した電極ベルト５の長さ（張力）を装着の機会ごとに再現することが困難である。
【００３９】
測定具１０では、測定具１０を犬に一度装着して長さ調節部１１により電極ベルト５の長さを調節すれば、２度目以降に当該犬に装着するときには、連結部９ａおよび９ｂを連結させるだけで、当該犬の心電測定に適した電極ベルト５の張力を、誰でも容易に再現できる。
【００４０】
より詳細には、図３の（ａ）、（ｂ）、または（ｃ）に示す例では、長さ調節部１１を用いて電極ベルト５の長さを一旦調節すれば、測定具１０を２度目以降に犬に装着するときに連結部９ａおよび９ｂを連結させるだけで電極ベルト５の張力を容易に再現できる。また、図３の（ｄ）に示す例では、電極ベルト５の張力を最も適切に設定できる孔部１１ａは長さ調節部１１（連結部９ａ）に設けた複数の孔部１１ａのうちどれなのかを、測定具１０の初回の装着時に確認しておく。測定具１０の２度目以降の装着時に、前記最も適切に設定できる孔部１１ａに連結部９ｂのピンを差すように装着させることによって、電極ベルト５の適切な張力を容易に再現できる。また、図３の（ｅ）に示す例では、電極ベルト５の張力を最も適切に設定できる長さの延長ベルト１３を、測定具１０の初回の装着時に確認しておく。測定具１０の２度目以降の装着時に当該適切な長さの延長ベルト１３を選択し装着させることで、電極ベルト５の適切な張力を容易に再現できる。
【００４１】
〔実施形態３〕
他の実施形態について、図４〜図６に基づいて説明すれば、以下の通りである。なお、説明の便宜上、前記実施形態にて説明した部材と同じ機能を有する部材については、同じ符号を付記し、その説明を省略する。
【００４２】
図４は、本実施形態に係る測定具２０の外観の一例を示す図である。図５は、図４に示した測定具２０の展開図である。ただし、図５には、電極ベルト５は図示されていない。図４および図５に示すように、測定具２０は、主装着部２１、電極ベルト５、胸当て部２３、および腋帯２４を備える。
【００４３】
主装着部２１は、首輪部２の代わりに首輪部２２を備える点で主装着部１と相違する。首輪部２２は、首輪部２よりも幅広の帯状部材であり、犬の首を覆うように形成されている。この主装着部２１は、例えば、化学繊維の織物、または天然繊維の織物などによる布からなるが、主装着部２１の材質は特に限定されない。具体的には、首輪部２２は、犬の首の周囲を覆う形状の腕部２２ａ・２２ｂを有しており、腕部２２ａ・２２ｂが、胸当て部２３の接続部２３ａ・２３ｂと接続されることにより、環状の部材が形成される。
【００４４】
なお、電極ベルト５の張力を弱めないために、少なくとも首輪部２２（２２ａ、２２ｂ）を構成する布は、伸縮性を持たない、または伸縮性が小さい布であることが望ましい。胸当て部２３および腋帯２４を構成する布は伸縮性を持っていてもよい。また、首輪部２２（２２ａ、２２ｂ）および胸当て部２３を構成する布として、クッション性を持った生地、例えばキルティングなどを用いてもよい。
【００４５】
胸当て部２３は、主装着部２１と接続され、測定具２０の装着時に犬の胸部に配される部材である。胸当て部２３は、測定具２０の装着時に犬の肩近傍に位置する部分に、腕部２２ａ・２２ｂとそれぞれ接続される接続部２３ａ・２３ｂを有する。腕部２２ａ・２２ｂと接続部２３ａ・２３ｂとの間は、例えばスナップ、ファスナー、またはボタン等で着脱可能に接続されていてもよく、接続部２３ａおよび接続部２３ｂの一方は、縫合等により着脱不可能に接続されていてもよい。
【００４６】
腋帯２４は、胸当て部２３と接続され、測定具２０の装着時に犬の腋窩を通る（腋の下を通る）位置に配される部材である。腋帯２４は、胸当て部２３と接続されており、犬の左右の腋窩のそれぞれに向かって延伸する。腋帯２４には、電極ベルト５を貫通させるための挿入口２５が設けられている。胸当て部２３および腋帯２４は、例えば首輪部２２を形成する布と同じ材質の布等で形成されてよい。
【００４７】
なお、測定具２０においては、腋帯２４に挿入口２５を設けることにより、電極ベルト５を連結部９ｂに接続するだけで腋帯２４も犬の背中側に引き上げることができる。しかし、腋帯２４自体、および収納部３またはその周辺のそれぞれに面ファスナーまたはフックなどを設け、腋帯２４を収納部３またはその周辺に連結可能に構成してもよい。この場合、挿入口２５を腋帯２４に構成することなく、腋帯２４を犬の背中側に引き上げることができる。その場合は、先に連結部９ａ・９ｂを互いに連結させ、その後で腋帯２４の解放されている端と収納部３またはその周辺とを連結させるような順で、測定具１０を犬に装着させる形となる。
【００４８】
測定具１０においては、電極ベルト５の張力は首輪部２のみに集中していたため、犬の首の、首輪部２と接触している箇所の負荷が大きくなる虞があった。これに対し、測定具２０においては、電極ベルト５の張力の一部は、胸当て２３にかかるため、張力が分散される。また、上述した通り、首輪部２２は、首輪部２と比較して幅広に形成されているため、張力によって犬の首に係る圧力も、測定具１０における首輪部２による圧力と比較して小さくなる。したがって、犬の首の、首輪と接触している箇所の負荷を抑制できる。
【００４９】
また、図６は、測定具２０を犬に装着させた状態を示す図であって、（ａ）は犬の側方、（ｂ）は犬の上方から見た図である。図６の（ａ）および（ｂ）に示すように、測定具２０は、布で形成された首輪部２２、胸当て部２３および腋帯２４を有することで、誰もが適切に電極６を敷設できる機能を持ちながら、動物用の服であるような外観を兼ね備える。このため、測定具２０は、一見して何らかの装置であると理解できるような外見を有する装置と比較して、犬の飼い主をはじめとする周囲の人間に対して好印象を与えることができる。
【００５０】
〔実施形態４〕
他の実施形態について、図７〜図１０に基づいて説明すれば、以下のとおりである。なお、説明の便宜上、前記実施形態にて説明した部材と同じ機能を有する部材については、同じ符号を付記し、その説明を省略する。
【００５１】
図７は、心電測定システム１００（生体情報測定システム）の構成を示す機能ブロック図である。図７に示すように、心電測定システム１００は、測定具１０の電極ベルト５に設けられた電極６、収納部３に収納された心電測定装置４、および端末装置３０（解析システム）を含んでいる。すなわち、心電測定システム１００は、測定具１０と、心電測定装置４および端末装置３０とを含んでいる。なお、心電測定システム１００は、測定具１０ではなく測定具２０を含んでいてもよい。
【００５２】
心電測定装置４は、主制御部４１、判定結果出力部４４、送信部４５および電位差データ記録部４６を備えている。主制御部４１は、心電測定装置４の機能全般を制御する機能ブロックであり、特に、電位差検出部４２および装着判定部４３（判定部）を備えている。
【００５３】
一般には、心電とは、心臓の拍動などによって生体に生ずる微小な電流を指す。心電の測定は、例えば心臓を挟むような位置に複数の電極を設け、当該複数の電極間の電位差を検出することによって行われる。本開示においては、左右の前脚に配した電極６の間の電位差を測定することによって心電を測定する例を示している。より詳細には、電位差検出部４２は、左前脚の腋窩に配された電極６によって検出された第１電位差と、右前脚の腋窩に配された電極６によって検出された第２電位差との差（以下では単に電位差と称する）（生体情報）を検出する。第１および第２電位差は、電極６によって検出された電位と基準電位との差である。また、主制御部４１は、電位差検出部４２によって検出された電位差データを、記録媒体である電位差データ記録部４６に記録する。なお、電位差データ記録部４６は必ずしも心電測定装置４に設けられる必要はなく、外部装置に設けられていてもよい。その場合、主制御部４１は、例えば無線通信により当該外部装置と接続され、電位差データ記録部４６に電位差データを記録する。
【００５４】
装着判定部４３は、上記電位差を解析することにより、電極６が測定対象の生体に適切に装着されているかどうか（すなわち測定具１０が適切に装着されているかどうか）を判定する。具体的には、装着判定部４３は、所定時間内に取得した電位差の最大値と平均値との差を算出し、上記最大値と上記平均値との差が所定の閾値よりも大きい場合には、適切に装着されていると判定する。一方、装着判定部４３は、上記差が所定の閾値以下の場合には、適切に装着されていないと判定する。また、主制御部４１は装着判定部４３による判定の結果を、前述の電位差データと関連付けて電位差データ記録部４６に記録してもよい。
【００５５】
判定結果出力部４４は、装着判定部４３による判定の結果を出力する装置であり、スピーカ、表示装置、またはＬＥＤ（発光ダイオード）等の発光装置など、判定結果をユーザに報知できる装置であればよい。
【００５６】
送信部４５は、装着判定部４３による判定の結果を端末装置３０へ送信する通信装置である。心電測定装置４と端末装置３０との通信は、無線通信であっても、有線通信であってもよい。
【００５７】
端末装置３０は、心電測定装置４から離れたユーザに、装着判定部４３による判定の結果を報知するための装置であり、例えば、スマートフォンなどの携帯端末である。端末装置３０は、装着判定部４３による判定の結果を送信部４５から受信する受信部３１および当該判定結果をユーザに報知する判定結果出力部３２を備えている。判定結果出力部３２は、判定結果出力部４４と同様の装置である。
【００５８】
装着判定部４３は、端末装置３０に設けられていてもよい。この場合、送信部４５は、電位差検出部４２から出力された電位差データを端末装置３０の受信部３１へ送信する。またこのとき、端末装置３０は、電位差データ記録部４６と同様の記録媒体である電位差データ記録部３３をさらに備え、受信した電位差データと、端末装置３０に設けた装着判定部４３による判定結果とを関連付けて電位差データ記録部３３に記録してもよい。
【００５９】
また、心電測定システム１００には、判定結果出力部４４および判定結果出力部３２のいずれか一方のみが設けられていてもよい。判定結果出力部３２が端末装置３０に設けられておらず、判定結果出力部４４が心電測定装置４に設けられている場合には、心電測定システム１００において端末装置３０を設けなくてもよい。
【００６０】
また、電位差データ記録部４６に記録する電位差データは、電位差検出部４２において検出した電位差データのうち、全部でもよいし一部でもよい。電位差データの一部のみ記録する場合の例としては、装着判定部４３によって適切に装着されたと判定された時点における電位差データのみを記録することが挙げられる。
【００６１】
図８は、心電測定装置４のハードウェアの構成の一例を示す図である。図８に示すように、心電測定装置４は、主制御部４１の各機能を実現するソフトウェアであるプログラムの命令を実行するＣＰＵ５０、上記プログラムおよび各種データがＣＰＵ５０で読み取り可能に記録されたＲＯＭ（Read Only Memory）５２、上記プログラムを展開するＲＡＭ（Random Access Memory）５１、外部の装置とのデータのやり取りを行う入出力インターフェース５３を備えている。入出力インターフェース５３は、例えば電極６、測定結果等を出力するための出力装置５４、または測定結果等を他の装置との間で送受信するための通信機器５５と接続されている。
【００６２】
上記プログラムを格納した記録媒体としては、「一時的でない有形の媒体」、例えば、テープ、ディスク、カード、半導体メモリ、プログラマブルな論理回路などを用いることができる。
【００６３】
図９は、心電測定装置４における装着判定処理の流れの一例を示すフローチャートである。図９に示すように、まず、電位差検出部４２は、ｔ秒分（例えば、１秒分）の電位差データを取得する（Ｓ１）。例えば、サンプリング周波数が１００Ｈｚであれば、１秒間に電位差データは合計で１００個得られる。取得した電位差データは、電位差データ記録部４６に記録される。
【００６４】
装着判定部４３は、ｔ秒分の電位差データの平均値（Ｓ２）および最大値を算出した後（Ｓ３）、上記最大値と上記平均値との差と所定の閾値との大小関係を判定する（Ｓ４）。
【００６５】
装着判定部４３は、上記最大値と上記平均値との差が所定の閾値よりも大きい場合（Ｓ４にて”＞”）には、電極６が適切に装着されていると判定する（Ｓ５）。上記所定の閾値は、例えば、０．１Ｖである。
【００６６】
一方、装着判定部４３は、上記最大値と上記平均値との差が所定の閾値以下の場合（Ｓ４にて”≦”）には、電極６が適切に装着されていないと判定する（Ｓ６）。この場合、判定結果出力部４４は、電極６が適切に装着されていない旨をユーザに報知する（Ｓ７）。または、電極６が適切に装着されていない旨を示す情報が送信部４５から受信部３１に送信され、判定結果出力部３２が上記の旨を報知してもよい。もしくは、判定結果出力部４４および判定結果出力部３２の両方が上記の旨を報知してもよい。
【００６７】
このような装着判定処理は、心電検出処理が終了するまで（Ｓ８にてＹＥＳ）繰り返される。または、装着判定処理を行うタイミングを、心電測定装置４の電源のＯＮ／ＯＦＦを装着判定処理の開始／終了のタイミングとしてもよい。
【００６８】
判定結果出力部４４・３２における報知の方法として、「正しく装着できていません」（うまく装着できていない事実のみを伝える）、「装着を見直してください」（装着しなおすよう促す表示を行う）などのメッセージを表示する方法が挙げられる。その他の方法として、アラート音出力を行ってもよい。その場合、正しく装着されていると判定された場合、音の出力をやめる。
【００６９】
図９に示したフローチャートにおいて、電極６が適切に装着されていると装着判定部４３が判定した場合に、判定結果出力部４４・３２がその旨を報知してもよい。例えば、判定結果出力部４４・３２は、「計測ＯＫ」などと表示してもよい。なお、電極６が適切に装着されているか否かについて、判定結果出力部４４および３２の双方が報知しても、どちらか一方のみが報知してもよいことは言うまでもない。
【００７０】
また、装着判定部４３は、ステップＳ４における判定の終了後に、当該判定の結果を電位差データ記録部４６に記録してもよい。
【００７１】
図１０は、心電波形の一例を示す図であり、（ａ）は電極６が適切に装着されている時の波形を示し、（ｂ）は電極６が適切に装着されていない時の波形を示す。（ａ）に示した波形では、略一定の周期で顕著なピークが出現しているが、（ｂ）に示した波形では当該ピークは出現していない。
【００７２】
図１０の（ａ）に示した波形では、１秒間における電位差の最大値と平均値との差は、約０．３６Ｖであった。この場合、電位差の最大値と平均値との差が０．１Ｖ以上であるため、装着判定部４３は、電極６が適切に装着されていると判定する。一方、図１０の（ｂ）に示した波形では、１秒間における電位差の最大値と平均値との差は、約０．０６Ｖであった。この場合、電位差の最大値と平均値との差が０．１Ｖ未満であるため、装着判定部４３は、電極６が適切に装着されていないと判定し、判定結果出力部４４は、電極６が適切に装着されていない旨をユーザに報知する。
【００７３】
装着判定部４３による装着判定方法は、上述の方法に限定されず、電位差の最大値と所定の閾値とを比較する方法など、他の方法であってもよい。
【００７４】
本開示は上述した各実施形態に限定されるものではなく、請求項に示した範囲で種々の変更が可能であり、異なる実施形態にそれぞれ開示された技術的手段を適宜組み合わせて得られる実施形態についても本開示の技術的範囲に含まれる。さらに、各実施形態にそれぞれ開示された技術的手段を組み合わせることにより、新しい技術的特徴を形成することができる。
（関連出願の相互参照）
本出願は、2017年2月6日に出願された日本国特許出願：特願2017-019874に対して優先権の利益を主張するものであり、それを参照することにより、その内容の全てが本書に含まれる。
【符号の説明】
【００７５】
１、２１  主装着部
４  心電測定装置（解析システム）
５  電極ベルト
６  電極
９  連結部
１０、２０  測定具
１１  長さ調節部
１３  延長ベルト（長さ調節部）
２３  胸当て部
２４  腋帯
３０  端末装置（解析システム）
４３  装着判定部（判定部）
１００  心電測定システム（生体情報測定システム）
【図１】
0006740384.tif 000002
【図２】
0006740384.tif 000003
【図３】
0006740384.tif 000004
【図４】
0006740384.tif 000005
【図５】
0006740384.tif 000006
【図６】
0006740384.tif 000007
【図７】
0006740384.tif 000008
【図８】
0006740384.tif 000009
【図９】
0006740384.tif 000010
【図１０】
0006740384.tif 000011